(57)【要約】      （修正有）【課題】電子フォームの中に画像を取り込み、取り込まれた画像と画像編集のための編集データを署名入りで受信側に送信し受信側で最終的な画像編集を行う。【解決手段】上記課題解決のために、顧客通信端末がサーバーから提供された入力フォームにデータを入力し、サーバーに返信するシステムにおいて、サーバーの開示手段は、顧客通信端末からの要求に基いて顧客通信端末の表示部に編集項目を伴った前記入力フォームを開示し、顧客通信端末は、入力手段によってテキストデータと画像データと編集データからなる顧客データを入力し、電子署名手段によって前記顧客データに対し電子署名を施し、送信手段によって前記顧客データと電子署名をサーバーに返信し、サーバーの編集手段は、顧客通信端末から受信した顧客データの編集データに基いて画像データを編集するデジタル画像編集システムを提供する。【選択図】  図１
2004165878.tif 000002
【特許請求の範囲】
【請求項１】
顧客通信端末がサーバーから提供された入力フォームにデータを入力し、サーバーに返信するシステムにおいて、
サーバーの開示手段は、顧客通信端末からの要求に基いて顧客通信端末の表示部に編集項目を伴った前記入力フォームを開示し、
顧客通信端末は、入力手段によってテキストデータと画像データと編集データからなる顧客データを入力し、電子署名手段によって前記顧客データに対し電子署名を施し、送信手段によって前記顧客データと電子署名をサーバーに返信し、サーバーの編集手段は、顧客通信端末から受信した顧客データの編集データに基いて画像データを編集することを特徴とするデジタル画像編集システム。
【請求項２】
前記入力フォームは電子フォームであることを特徴とする請求項１に記載のデジタル画像編集システム。
【請求項３】
前記画像データは前記サーバーから送信されることを特徴とする請求項１に記載のデジタル画像編集システム。
【請求項４】
前記画像データは顧客通信端末から入力されることを特徴とする請求項１に記載のデジタル画像編集システム。
【請求項５】
前記編集項目には少なくとも、画像に関する拡大、縮小、明暗、座標、を指示する項目が含まれていることを特徴とする請求項１に記載のデジタル画像編集システム。
【請求項６】
顧客通信端末の確認手段は、入力されたテキストデータと編集された画像データの画面を顧客通信端末の表示部によって確認することを特徴とする請求項１〜５何れか１項に記載のデジタル画像編集システム。
【発明の詳細な説明】
【０００１】
【発明の属する技術分野】
本発明は、電子フォーム画面で画像入力、編集を行う画像編集システムに関する。
【０００２】
【従来の技術】
従来、通信端末で画像を送信する場合、電子メールにデジタルカメラで撮影した電子画像を添付して送付する画像送信方法が一般的に利用されている。
上記の場合、撮影された画像はファインダーでトリミングされたそのままの状態で送信されることが多く、受信する側も受信画像を編集して残す例は少ない。
【０００３】
クレジットカードの業界では、カードが不正に使用されないように会員の顔写真をカードにプリントするサービスを行っている。
クレジットカードに顔画像のプリントを希望するクレジット会員は、顔を撮影した印画紙を、定められた大きさに裁断し、封筒に入れてクレジットカード会社に郵送するか、または、インターネットのクレジット会社のホームページを利用して顔画像を送信することによってカードに顔画像をプリントしている。
【０００４】
インターネットで顔画像を送信する場合、多くの場合、カメラのファインダーでトリミングされたままの画像が送信され、会員は、カード会社によってどのようにトリミングされるか送信する時点で確認することができない。
また、会員が写真を選択する場合、写真を分類保管している、略称やコードで選択するために間違えて送信されてしまう可能性がある。
また、団体で撮影した集合写真に本人の顔画像をマークして、使用するよう指示する会員もいる。その場合にクレジットカード会社は、間違って他人の顔をカードにプリントしてしまう場合がある。
【０００５】
また会員から送信された顔画像が、間違いなく本人が送信したものであるという保証が無かったために、送信途中で他人の顔にすりかえられ、クレジットカードが改竄されて悪用されることもあった。
また、テキストデータを入力するフォームと、顔画像を入力するフォームが独立して送信され、送信先で顔画像とテキストデータが一致しないトラブルも発生した。
【０００６】
画像編集ソフトは、画像を日常的に取り扱う印刷業界、デザイン業界出版業界等では業務の中で日常的に利用されているが、前述のように企業対個人の取引ではほとんど利用されていない。
【０００７】
インターネットなどを介して画像を送受信する際にその一部が改竄された場合に容易に改竄部分を検出するシステムが開示されている（特許文献１参照）。しかし、このシステムは、全体画像を部分に分解して送信するためにシステムが複雑になる欠点があった。
【０００８】
【特許文献１】
特開平１１−１９６３９２号公報
【０００９】
【発明が解決しようとする課題】
そこで、電子フォームの中に画像を取り込み、取り込まれた画像と画像編集のための編集データを署名入りで受信側に送信することによって受信側で最終的な画像編集を行うシステムを提供する。
【００１０】
【課題を解決するための手段】
前記課題の目的を達成するために、本発明のデジタル画像編集システムの請求項１に記載の発明は、顧客通信端末がサーバーから提供された入力フォームにデータを入力し、サーバーに返信するシステムにおいて、サーバーの開示手段は、顧客通信端末からの要求に基いて顧客通信端末の表示部に編集項目を伴った前記入力フォームを開示し、顧客通信端末は、入力手段によってテキストデータと画像データと編集データからなる顧客データを入力し、電子署名手段によって前記顧客データに対し電子署名を施し、送信手段によって前記顧客データと電子署名をサーバーに返信し、サーバーの編集手段は、顧客通信端末から受信した顧客データの編集データに基いて画像データを編集することを特徴とするものである。
【００１１】
また、請求項２に記載の発明は、請求項１に記載の発明において、入力フォームは電子フォームであることを特徴とするものである。
【００１２】
また、請求項３に記載の発明は、請求項１に記載の発明において、画像データはサーバーから送信されることを特徴とするものである。
【００１３】
また、請求項４に記載の発明は、請求項１に記載の発明において、画像データは顧客通信端末から入力されることを特徴とするものである。
【００１４】
また、請求項５に記載の発明は、請求項１に記載の発明において、編集項目には少なくとも画像に関する拡大、縮小、明暗、座標、を指示する項目が含まれていることを特徴とするものである。
【００１５】
また、請求項６に記載の発明は、請求項１〜５何れか１項に記載の発明において、顧客通信端末の確認手段は、入力されたテキストデータと編集された画像データの画面を顧客通信端末の表示部によって確認することを特徴とするものである。
【００１６】
【発明の実施の形態】
以下図面を参照して本発明のデジタル画像編集システムの好適な一実施形態について説明する。
図１は、本発明のデジタル画像編集システムの概要について説明するための図、図２は、テキストデータ入力画面の一例、図３は、画像データ入力画面の一例、図４は、画像データの編集画面の一例、図５は、顧客通信端末による顧客データ入力手順とサーバーの編集手順を説明するための図、である。
【００１７】
図１を参照して、本発明のデジタル画像編集システムの概要について説明する。
また、本実施の形態の説明では、クレジットカード発行会社のサーバーと会員の顧客通信端末間で行われるデジタル画像編集システムについて、既に入会しているクレジットカード会員がカード更新時に顔画像のプリントを申請または、変更し、会員データ（以下顧客データという。）の一部を変更する場合の一実施形態について説明する。
会員が所有または、使用する顧客通信端末１（以下顧客端末１という。）は、インターネットを通じてクレジットカード発行会社のサーバー２（以下サーバー２という。）と接続されている。
顧客端末１は、例えば、デスクトップ型パーソナルコンピュータ、ノート型パーソナルコンピュータ、パームトップ型コンピュータ等の通信端末で、表示手段と、入力手段と通信手段を有している。
これら顧客端末１は、外部装置と無線で接続することも有線で接続することもできる。
【００１８】
以下図１に示す顧客端末がインターネットを介してクレジットカード発行会社のサーバーにアクセスする手順の一例について説明する。
クレジットカード会員は、顧客端末１の入力手段例えばキーボードとマウスによって、インターネットの検索枠にクレジットカード発行会社の社名を入力し検索ボタンを押す。
登録サイトで一致したクレジットカード会社の名前が表示される。
社名が表示された場所をクリックすると“入会の御案内”と、“トップページ”のボタンが表示される。“トップページ”ボタンをクリックすると、クレジットカード発行会社の案内ページが表示され、各種ボタンが表示される。
“カードお届け内容変更ボタン”を押すと、変更可能な項目が表示される。
内容変更ボタンを押すと“ＩＤ入力枠、パスワード入力枠”が表示される。所定の入力が終わるとお届け内容変更ページが表示され、変更内容及び追加内容を入力する。
以上で、サーバーに対するアクセス作業を完了する。
【００１９】
前記、サーバーから受信した会員の変更内容及び追加内容を入力する顧客データ入力フォームは、電子フォーム様式のテキストデータ入力フォーム、画像データ入力フォーム、画像編集項目、登録画像データで構成されている。
登録画像データは、前回登録した顔画像データで定期的に新しい顔画像に入れ替える。
顧客端末の入力手段は、前記顧客データ入力フォームを顧客端末の表示部に表示し、会員の変更データの内、テキストデータを入力枠の変更欄に入力し、新しい顔画像データは、デジタルカメラや、スキャナーなどから撮り込んだ顔画像データを、例えば顧客端末のフレキシブルディスクドライブから入力する。
入力された顔画像データを画像入力・編集画面に取り込み、画面に表示されている編集枠に数字を入力して画面に取り込んだ顔画像を指定された大きさに収まるように拡大縮小する。
【００２０】
入力されたテキストデータ、及び、顔画像データは、編集データと一緒に暗号化されハッシュ値（電子署名）と一緒に送信データ４としてサーバー２に送信される。
サーバー２は、受信したテキストデータ、顔画像データ、及び、編集データからなる顧客データを復合し、サーバーの編集プログラムによって再編集して会員の更新データとして顧客データベースに保管する。
【００２１】
図２を参照してテキストデータ入力画面の一例について説明する。
テキストデータ入力画面２１には、固定データと、可変データがある。
固定データには、会員番号がある。可変データには、現住所、電話番号、メールアドレスがある。
テキストデータ入力画面２１には、表示しないが入力枠への入力に関する補助説明欄が設けられている。
前記固定データとして、スペースを含め１９桁の会員番号２１１が入力されている。
会員は、まず、自分のクレジットカードに打刻されている会員番号と、前記表示されている会員番号を照合する。
【００２２】
次に、登録住所表示枠２１２を確認して、登録住所に変更がある場合は新住所入力枠２１３に新しい住所を入力する。
登録住所表示枠２１２の下部に電話番号入力枠２１４があり、前回登録した電話番号が表示されている。
上記住所同様、電話番号に変更がある場合は電話番号入力枠２１４の“新”の欄に新しい電話番号を入力する。
【００２３】
最下部にはメールアドレス入力枠２１６が設けられている。
メールは一斉配信が可能で、クレジットカード発行会社にとっては、ニュースの配信の際に便利なために、会員に対して電子メールのアドレスを登録するように奨めている。
メールアドレスを保有している会員は、メールアドレスを入力する。
必要なデータを入力すると、入力した日付が入力年月日表示欄２１６に自動的に表示される。
【００２４】
テキストデータ入力画面２１のそれぞれの入力枠には画面に表示されないが入力されたデータが補助説明欄（表示せず）に記載の内容にしたがって正しい書体で入力されているかチェックする機能が付与されている。また、それぞれの入力枠には、例えば、入力された内容に関連した枠識別コードが付与されている。
サーバーは、変更されたこれらの顧客データを受信して、新しい顧客データとして顧客データベースに格納する際にこれら識別コードにしたがって新たに登録を行う。また、これらの識別コードは、マーケティングやダイレクトメール発送の際の検索コードとして利用される。
【００２５】
図３、図４を参照して顔画像入力、編集について説明する。
図３は、編集済みの画像データ入力画面の一例で、会員の顔画像が、顔画像入力枠２２４に適正なサイズに、適正な明度に編集されて収められている。
画像データ入力画面には、顔画像を適正な状態で登録できるように顔画像入力枠２２４が表示されている。この枠の大きさは固定となっており、会員は顧客端末に取り込んだ顔画像をキーボードや、マウスなどの入力手段によって移動、拡大縮小、明るさ調整を行い、顔画像入力枠２２４の内側に収める。
拡大率入力枠２２１に入力された数字や、明度参照欄２２３などを参照しながら明度入力枠２２２に入力された数字が編集データとして、顧客データと一緒にサーバに送信される。
本実施の形態では、画像データ入力画面に取り込まれた画像は、トリミングされない状態でサーバーに送信される。
上記拡大率、明度のほかに、座標データの入力枠が画像データ入力画面に設けられている場合もある。
【００２６】
図４を参照して、画像データの入力画面による画像編集の一例について説明する。
まず、顧客端末のデータ収納部に一時保管中の顔画像データを画像データ入力画面２２に読み出す。
顔画像２２５は、画像データ入力画面２２の右下にコピーされる。
コピーされた顔画像２２５は、画像の境界線（２２５１）に示すように、申請サイズより大きめになっている。そこで画像全体を選択し、画像サイズを縮小するために拡大率入力枠に“７０”の数字を入力する。
また、顔全体を明るくするために明度参照欄２２３のグラデーションスケールを参照して明度入力枠に“６０”の数字を入力する。
写真のサイズと明るさの編集データを入力して、マウスによって顔画像を顔画像入力枠２２４に移動する。移動した後の状態が図３に示す画面である。
【００２７】
図３と、図４の画面を比較すると、図４の顔画像のサイズが図３では小さくなっており、また、顔全体が図４より、図３が明るく修正されていることが判る。
また、集合写真などから自分の顔だけをトリミングして顔画像入力枠２２４に収めたい場合は、自分の顔の大きさを顔画像入力枠２２４の大きさに収まるように拡大、または、縮小する。
自分の顔の中心を顔画像入力枠２２４の中央に位置するように、画像をマウスで移動させ、固定すると、顔画像入力枠２２４のコードが付いたデータ記録部に、移動位置の座標が記録される。
なお、サーバーが顧客データを受信して顧客の画像データを編集する場合、サーバーの編集プログムは、指定された会員の顔だけを顔画像入力枠２２４の大きさにトリミングし、他の部分は削除、廃棄する。
【００２８】
顧客端末の入力手段は、テキストデータと顔画像データの入力が完了すると、入力画面上に表示されている確認ボタン（表示せず）を押すように指示される。
入力手段は、入力内容を確認して、確認ボタンを押す。
送信の前に電子署名ボタン（表示せず）を押すように指示される。
電子署名は、会員が事前に取得し顧客端末または、ＩＣカードなどに格納している公開鍵暗号方式の秘密鍵で暗号化する。暗号の対象となるデータは、少なくとも入力したテキストデータ、入力した顔画像データ、編集のために入力した編集データである。
送信データの暗号化が終了したら、そのハッシュ値を電子署名として添付しサーバーに向けて送信する。
【００２９】
図５を参照して顧客端末による顧客データ入力手順とサーバーの編集手順について説明する。
まず、最初のステップ（以下Ｓ）として、顧客端末１は、第三者機関から電子署名のための電子証明書を取得する（Ｓ４１）。電子証明用鍵には公開鍵ａと、秘密鍵ｂがセットで交付される。顧客端末は、サーバー２に対して電子証明書付き公開鍵ａを公開する。
【００３０】
顧客端末は、インターネットの検索枠にサーバーの管理会社名を入力し検索ボタンを押す。登録サイトで一致したサーバーの管理会社の名前が表示される。“トップページ”ボタンをクリックすると、サーバーの管理会社の案内ページが表示され、各種ボタンが表示されている。
入力フォーム読出し請求ボタンを押すと“ＩＤ入力枠、パスワード入力枠”が表示される。
前記入力枠への入力が終わると顧客端末の表示画面に入力フォームが表示される（Ｓ４２）。
顧客端末の入力手段によってまず、テキストデータ入力画面を表示し、テキストデータを入力する（Ｓ４３）。
次いで、画像データ入力画面を表示し、画像入力手段により画像データを入力する。（Ｓ４４）。
顧客端末のデータ格納部から読み出された画像データを、編集項目に従って編集する（Ｓ４５）。
上記テキストデータ、画像データ、及び画像編集データを顧客端末に格納している秘密鍵（▲１▼ｂ）で暗号化し、電子署名を添付する（Ｓ４６）。
Ｓ４６で暗号化されたテキストデータ、画像データ、及び画像編集データからなる顧客データと電子署名をサーバーに向けて送信する（Ｓ４７）。
【００３１】
サーバーは顧客端末から送信された顧客データと電子署名を受信する。
事前に公開された顧客端末の公開鍵（▲１▼ａ）により受信した顧客データと電子署名を復号する（Ｓ４９）。
復号した画像データを編集データとサーバーの編集プログラムによって最終編集する（Ｓ５０）。
復号したテキストデータと、編集済み画像データを顧客データベースに保管する（Ｓ５１）。
【００３２】
【発明の効果】
１）請求項１に記載の発明のように、顧客通信端末がサーバーから提供された入力フォームにデータを入力し、サーバーに返信するシステムにおいて、サーバーの開示手段は、顧客通信端末からの要求に基いて顧客通信端末の表示部に編集項目を伴った前記入力フォームを開示し、顧客通信端末は、入力手段によってテキストデータと画像データと編集データからなる顧客データを入力し、電子署名手段によって前記顧客データに対し電子署名を施し、送信手段によって前記顧客データと電子署名をサーバーに返信し、サーバーの編集手段は、顧客通信端末から受信した顧客データの編集データに基いて画像データを編集することができ、また、送信データ全体に電子署名することによって顧客データを安全に送信することができる。
２）請求項２に記載の発明のように、請求項１に記載の発明において、入力フォームは電子フォームとすることによって、受信者の受信後の処理を簡略化することができる。
３）請求項３に記載の発明のように、請求項１に記載の発明において、画像データはサーバーから送信されることによって、入力手段はその画像を確認して継続して使用できる場合は入力が簡略化される。
４）請求項４に記載の発明のように、請求項１に記載の発明において、画像データは顧客端末から入力されることによって画像の変更が容易になる。
５）請求項５に記載の発明のように、請求項１に記載の発明において、編集項目には少なくとも画像に関する拡大、縮小、明暗、座標、を指示する項目が含まれることによって、受信したサーバーは編集データに基き自らの編集手段によって自動的に受信画像を編集することができる。
６）請求項６に記載の発明のように、請求項１〜５何れか１項に記載の発明において、顧客通信端末の確認手段は、入力されたテキストデータと編集された画像データの画面を顧客通信端末の表示部によって確認することによって、顧客は最終的に形成される画像を確認することが可能になり、集合写真からトリミングされる場合でも、誤って他人の顔画像が形成されるトラブルを避けることができる。
【図面の簡単な説明】
【図１】本発明のデジタル画像編集システムの概要について説明するための図
【図２】テキストデータ入力画面の一例
【図３】画像データ入力画面の一例
【図４】画像データの編集画面の一例
【図５】顧客通信端末による顧客データ入力手順とサーバーの編集手順を説明するための図
【符号の説明】
１      顧客通信端末（顧客端末）
２      サーバー
３      顧客データ入力フォーム
４      送信データ
２１    テキストデータ入力画面
２２    画像データ入力画面
２１１  会員番号入力枠
２１２  登録住所表示枠
２１３  新住所入力枠
２１４  電話番号入力枠
２１５  メールアドレス入力枠
１２６  入力年月日表示欄
２２１  拡大率入力枠
２２２  明度入力枠
２２３  明度参照欄
２２４  顔画像入力枠
２２５  顔画像
２２５１  取りこみ画像の境界中心位置
【図１】
2004165878.tif 000003
【図２】
2004165878.tif 000004
【図３】
2004165878.tif 000005
【図４】
2004165878.tif 000006
【図５】
2004165878.tif 000007